(57)【要約】【課題】ドームの内部の温度上昇を抑えることを目的とする。【解決手段】ドーム８の上部に開口部１９を設けているため、該景品獲得ゲーム機１０の動作等により生じた熱を外部に排出させることができ、ドーム８の内部に熱がこもることがない。そのため、飴やチョコレート等の熱に弱く溶けやすいお菓子を景品として配置しても、溶けるようなことはなくなる。よって従来とは違い、溶けた状態の景品を獲得したことで、不快感が生じることを防ぐことができる。【選択図】図４
2006129993.tif 000002
【特許請求の範囲】
【請求項１】
内部に景品が設けられ、作動させる機械の内容に応じて景品を取出して獲得できるようにした景品獲得ゲーム機において、該景品獲得ゲーム機の景品取出し装置の上部に被さるように配設されるドームには、開口部が設けられ、内部に生じた熱を該開口部より外部に排出することができることを特徴とした、景品獲得ゲーム機におけるドーム。
【請求項２】
前記ドームは半球状をなすとともに、上部に少なくとも一つの開口部が設けられている請求項１に記載の景品獲得ゲーム機におけるドーム。
【請求項３】
前記ドームは筒状をなして、上方が開放している請求項１に記載の景品獲得ゲーム機におけるドーム。
【発明の詳細な説明】
【技術分野】
【０００１】
本発明は、景品獲得ゲーム機におけるドームに関する。
【背景技術】
【０００２】
例えば、景品獲得ゲーム機とは、ボタン操作にてクレーンを動かし、ターンテーブルに配置されているお菓子やおもちゃ等の景品をすくい、固定されたテーブルに落下させ、該固定テーブルの上面を水平方向に出没作動する移動テーブルにて景品を押し、景品取出し口に滑り落とすことで景品を獲得することができるゲーム機械である（例えば、特許文献１参照。）。
【特許文献１】特開２００３−１４４７４０号公報
【発明の開示】
【発明が解決しようとする課題】
【０００３】
従来から、上記のような景品獲得ゲーム機には半球状のドームが配設されており、該ドームによって内部が密閉されていた。
【０００４】
本発明は、ドームに開口部を設けることにより、景品獲得ゲーム機から生じた熱が該ドーム内部にこもることのないようにし、該ドームの内部の温度上昇を抑えることで、内部に配置する飴やチョコレート等の景品が溶けるのを防止することを目的としている。
【課題を解決するための手段】
【０００５】
上記のような課題を解決するために、本発明の請求項１に係る景品獲得ゲーム機におけるドームは、該景品獲得ゲーム機の景品取出し装置の上部を覆うように配設され、該ドームに設けられた開口部により、内部に生じる熱を該開口部より外部に排出できることを特徴としたものを採用している。
【０００６】
また、本発明の請求項２に係る景品獲得ゲーム機におけるドームは、請求項１に記載の景品獲得ゲーム機におけるドームであって、前記ドームは半球状をなすとともに、上部に少なくとも一つの開口部が設けられていることを特徴としたものを採用している。
【０００７】
さらに、本発明の請求項３に係る景品獲得ゲーム機におけるドームは、請求項１に記載の景品獲得ゲーム機におけるドームであって、前記ドームは筒状をなして、上方が開放していることを特徴としたものを採用している。
【発明の効果】
【０００８】
本発明は、ドームに開口部を設けているため、景品獲得ゲーム機の作動等により生じた熱がドーム内部にこもることなく、外部に排出することができる。そのため、飴やチョコレート等の熱に弱く溶けやすいお菓子を景品として配置しても、溶けることはなくなる。よって従来とは違い、溶けた状態の景品を獲得したことで、不快感が生じることを防ぐことができる。
【発明を実施するための最良の形態】
【０００９】
以下、図面に示す本発明の実施の形態について説明する。
図１〜図３には、上部にディスプレイ装置が配設された、景品獲得ゲーム機における前記ディスプレイ装置の概略が示されており、図１は平面図、図２は正面図、図３は構成部材を分解した斜視図である。図４は本発明である景品獲得ゲーム機におけるドームが示されており、景品獲得ゲーム機の全体を示す全体図である。
【００１０】
前記ディスプレイ装置１は図１〜図３で示すように、上面に広告等を表示することができる大円盤２とその下方にある小円盤３、そして両円盤２、３間を連結固定する複数のスタッド４、両円盤２、３の中心部を上下方向に貫通して延びる筒状の照明部５、該照明部５に被さるようにして配設される傘部６、景品取出し装置１８の基台１２と接続する連結筒１１とを有し、これらの部材から構成されている。
【００１１】
例えば、前記景品獲得ゲーム機１０は図４で示すように、景品取出し装置１８、開口部１９を設けたドーム８、ディスプレイ装置１から構成されている。
【００１２】
前記景品取出し装置１８は、上部にディスプレイ装置１が配設される基台１２、該基台１２に配設されている固定テーブル１４、該固定テーブル１４の上面を水平方向に出没作動する移動テーブル１３、景品を載せて回転運動をするターンテーブル９、景品をすくうクレーン１５、該クレーン１５の操作ボタン１６、景品取出し口１７とで構成される。
【００１３】
前記景品取出し装置１８は、操作ボタン１６を押すことでクレーン１５を作動させ、回転運動するターンテーブル９に載った景品をすくい上げ、この景品を固定テーブル１４に落下させる。そして該固定テーブル１４の上面を水平方向に出没作動する移動テーブル１３によって押し、景品取出し口１７につながる穴へと景品を滑り落とすことで、該景品取出し口１７から景品を取出すことができる。
【００１４】
例えば、前記ドーム８は、景品取出し装置１８の上部及びディスプレイ装置１とを覆うようにして配設されており、該ドーム８に開口部１９を設けることにより、該景品取出し装置１８及びディスプレイ装置１の照明部５等の働きによって生じた熱を、外部に排出することができる。
【００１５】
前記ドーム８に設けられる開口部１９の形状や大きさ等は特に限定しない。例えば、該開口部１９は、ドーム８の上部に大きく設けてもよいし、花びら状に複数設けてもよい。但し、開口部１９が設けられていることで、該開口部１９からドーム８の内部に手を入れたり、ディスプレイ装置１に配置されている景品等に触れたりすることが容易にできてしまうので、それらを防止するために、例えば、開口部１９に網目状のものを配設したり、開口部１９の幅を狭めたりするとよい。
【００１６】
例えば、前記ドーム８の下部にある景品取出し装置１８に、ファンのような装置（図示せず）を配設して、空気の流れを作り出すことで、ドーム８の内部に生じた熱が該ドーム８の開口部１９より効率良く排出されるようにする。
【００１７】
前記ドーム８の内部に生じた熱が、該ドーム８に設けられた開口部１９から排出されることで、ドーム８の内部の温度上昇を抑える効果を得ることができるため、飴やチョコレート等の熱に弱く溶けやすいものを景品として配置しても、溶けてしまう心配がない。このことから、従来のように溶けた景品を獲得したことによる不快感を生じさせることがなく、ゲームで遊ぶ意欲を著しく低下させることを防ぐことができる。
【００１８】
前記ドーム８は透明性を有して、ターンテーブル９に載って回転している景品や、ディスプレイ装置１に配置又は表示される広告等が明瞭に視認できるようなものが好ましい。
【００１９】
前記の実施の形態で示したように、ドーム８に開口部１９を設けることで、該ドーム８の内部の温度上昇を抑えることができればよい。この条件を満たすならば、該ドーム８の形状を特に限定することなく、上部が開口する筒状であるとか、如何なる形態であってもよい。
【００２０】
前記ディスプレイ装置１の大円盤２及び小円盤３は、所定の厚みを有した円盤状をなし、該大円盤２の中心部には照明部５を通すための穴が設けられている。小円盤３の中心部には大円盤２の中心部に設けられている穴の径よりも小さな穴が設けられており、前記の穴を閉塞した状態で連結筒１１が下方に延びていて、該連結筒１１の下部は景品取出し装置１８の基台１２につながる。
【００２１】
大円盤２の上面には広告等の表示が可能であるが、該大円盤２の材質等の制限は特にないので、表示する広告等に合わせた素材を選択することもできる。例えば、アクリル等の透明の素材にすることも可能である。但し、おもちゃ等の重さのあるものを配置する場合等に、その荷重に耐えられるような、ある程度の剛性を有するものを選択する必要がある。
【００２２】
前記大円盤２は平面状をなしていて、様々な形で広告等を表示させることが可能であり、単に平面で広告を表示させることもできるし、立体的な広告や、おもちゃ等を表示又は配置することができる。さらに、照明部５に被さるようにしてある傘部６にも広告等の表示をすることができる。このように様々な広告等の表示又は設置の方法が考えられるため、幅広い方向での認識及び、幅広い範囲の世代に対応することが可能である。
【００２３】
前記ディスプレイ装置１は、全体が一体となって水平方向に回転運動するものであるが、該ディスプレイ装置１を回転運動させるためには、例えば、景品取出し装置１８のターンテーブル９を作動させている駆動源（図示せず）から、ベルト等（図示せず）によって動力を伝達し、ディスプレイ装置１の連結筒１１を回転運動させることで可能となる。
【００２４】
前記ディスプレイ装置１は、例えば誰もゲームで遊んでいない場合、該ディスプレイ装置１を静止させておくよりも、回転していた方が動きによる注目度は上がり広告等の効果は高まるので、常に回転運動を継続し続けるようにしておくことが好ましい。
【００２５】
両円盤２、３の間に連結固定されている複数のスタッド４は、大円盤２を支持するものであるが、大円盤２が広告等の荷重に対してある程度の剛性を有する必要があるのと同様に、スタッド４も大円盤２の荷重を変形等せずに、支持できるだけの剛性を有することが必要である。
【００２６】
両円盤２、３の中心部を貫通する照明部５の内部は空洞になっており、内部には下方から照明器７が立ち上がる形で配設されており、該照明器７によって大円盤２の上面に表示された広告等を照らすことができる。
【００２７】
前記照明部５は材質、色等の制限はないので、様々な素材を選択できる。但し、該照明部５の内部には照明器７が配設されるため、照明器７の熱による影響を受けて変形等をしないように、ある程度の耐熱性を有するものを選択しなければならない。
【００２８】
また、前記照明器７は、様々な色及び明るさのものを使用することによって、広告等の雰囲気に合わせることができるため、広告等をより効果的に演出することができる。
【００２９】
なお、前記照明器７を点灯させる方法として、例えば、景品取出し装置１８の内部の電源部（図示せず）と接続することで可能となる。
【００３０】
前記傘部６の閉塞された底面には、照明部５の上部を受け入れるような円柱状の窪みが設けられ、該傘部６が照明部５の上部に被さるようにして配設される。
【００３１】
なお、前記に実施の形態として、景品取出し装置１８の上部にディスプレイ装置１を配設したものを示したが、これに限定することなく如何なる形態であってもよい。
【図面の簡単な説明】
【００３２】
【図１】ディスプレイ装置の平面図である。
【図２】ディスプレイ装置の正面図である。
【図３】ディスプレイ装置を構成する部品に分解した斜視図である。
【図４】景品獲得ゲーム機全体を示した全体図である。
【符号の説明】
【００３３】
１  ディスプレイ装置
２  大円盤
３  小円盤
４  スタッド
５  照明部
６  傘部
７  照明器
８  ドーム
９  ターンテーブル
１０  景品獲得ゲーム機
１１  連結筒
１２  基台
１３  移動テーブル
１４  固定テーブル
１５  クレーン
１６  操作ボタン
１７  景品取出し口
１８  景品取出し装置
１９  開口部
【図１】
2006129993.tif 000003
【図２】
2006129993.tif 000004
【図３】
2006129993.tif 000005
【図４】
2006129993.tif 000006